(57)【要約】【課題】スキャンプロトコルを自動的に作成する。【解決手段】画像データと関連情報を含む医用画像ファイル（Ｆ）の関連情報からスキャンプロトコル関連情報を抽出する医用画像ファイル解析部（２ｂ）と、画像を撮影したスキャンプロトコルである原スキャンプロトコルをスキャンプロトコル関連情報に基づいて生成する原スキャンプロトコル生成部（２ｃ）と、原スキャンプロトコルを対象医用画像撮影装置に適用可能なスキャンプロトコル（Ｓ）に変換するスキャンプロトコル変換部（２ｄ）とを具備する。【効果】医用画像ファイルがあれば、操作者が一からスキャンプロトコルを設定しなくても済み、省力化できる。設定時間を短縮できる。設定ミスもなくなる。【選択図】図１
2005137730.tif 000002
【特許請求の範囲】
【請求項１】
画像データと関連情報を含む医用画像ファイルの関連情報からスキャンプロトコル関連情報を抽出し、前記スキャンプロトコル関連情報を基に対象医用画像撮影装置に適用可能なスキャンプロトコルを作成することを特徴とするスキャンプロトコル作成方法。
【請求項２】
請求項１に記載のスキャンプロトコル作成方法において、一連のスライス位置(x,y,x,t)で連続的に撮影した複数の画像にかかる複数の医用画像ファイルの関連情報から一連のスライス位置(x,y,x,t)で連続的に撮影するための情報を抽出し、前記情報を前記スキャンプロトコルに加えることを特徴とするスキャンプロトコル作成方法。
【請求項３】
画像データと関連情報を含む医用画像ファイルの関連情報からスキャンプロトコル関連情報を抽出し、前記画像データの画像を撮影したスキャンプロトコルである原スキャンプロトコルを前記スキャンプロトコル関連情報に基づいて生成し、前記原スキャンプロトコルを対象医用画像撮影装置に適用可能なスキャンプロトコルに変換することを特徴とするスキャンプロトコル作成方法。
【請求項４】
請求項３に記載のスキャンプロトコル作成方法において、一連のスライス位置(x,y,x,t)で連続的に撮影した複数の画像にかかる複数の医用画像ファイルの関連情報から一連のスライス位置(x,y,x,t)で連続的に撮影するための情報を抽出し、前記情報を前記スキャンプロトコルに加えることを特徴とするスキャンプロトコル作成方法。
【請求項５】
請求項１から請求項４のいずれかに記載のスキャンプロトコル作成方法において、前記医用画像ファイルがＤＩＣＯＭ画像ファイルであることを特徴とするスキャンプロトコル作成方法。
【請求項６】
画像データと関連情報を含む医用画像ファイルの関連情報からスキャンプロトコル関連情報を抽出する医用画像ファイル解析手段と、前記スキャンプロトコル関連情報を基にして対象医用画像撮影装置に適用可能なスキャンプロトコルを作成するスキャンプロトコル作成手段とを具備したことを特徴とするスキャンプロトコル作成装置。
【請求項７】
請求項６に記載のスキャンプロトコル作成装置において、前記医用画像ファイル解析手段は、一連のスライス位置(x,y,x,t)で連続的に撮影した複数の画像にかかる複数の医用画像ファイルの関連情報から一連のスライス位置(x,y,x,t)で連続的に撮影するための情報を抽出し、前記スキャンプロトコル作成手段は、前記情報を前記スキャンプロトコルに加えることを特徴とするスキャンプロトコル作成装置。
【請求項８】
画像データと関連情報を含む医用画像ファイルの関連情報からスキャンプロトコル関連情報を抽出する医用画像ファイル解析手段と、前記画像データの画像を撮影したスキャンプロトコルである原スキャンプロトコルを前記スキャンプロトコル関連情報に基づいて生成する原スキャンプロトコル生成手段と、前記原スキャンプロトコルを対象医用画像撮影装置に適用可能なスキャンプロトコルに変換するスキャンプロトコル変換手段とを具備したことを特徴とするスキャンプロトコル作成装置。
【請求項９】
請求項８に記載のスキャンプロトコル作成装置において、前記医用画像ファイル解析手段は、一連のスライス位置(x,y,x,t)で連続的に撮影した複数の画像にかかる複数の医用画像ファイルの関連情報から一連のスライス位置(x,y,x,t)で連続的に撮影するための情報を抽出し、前記原スキャンプロトコル生成手段は、前記情報を前記スキャンプロトコルに加えることを特徴とするスキャンプロトコル作成装置。
【請求項１０】
請求項６から請求項９のいずれかに記載のスキャンプロトコル作成装置において、前記医用画像ファイルがＤＩＣＯＭ画像ファイルであることを特徴とするスキャンプロトコル作成装置。
【請求項１１】
画像データと関連情報を含む医用画像ファイルの関連情報からスキャンプロトコル関連情報を抽出する医用画像ファイル解析手段と、前記スキャンプロトコル関連情報を基にして自己に適用可能なスキャンプロトコルを作成するスキャンプロトコル作成手段とを具備したことを特徴とする医用画像撮影装置。
【請求項１２】
請求項１１に記載の医用画像撮影装置において、前記医用画像ファイル解析手段は、一連のスライス位置(x,y,x,t)で連続的に撮影した複数の画像にかかる複数の医用画像ファイルの関連情報から一連のスライス位置(x,y,x,t)で連続的に撮影するための情報を抽出し、前記スキャンプロトコル作成手段は、前記情報を前記スキャンプロトコルに加えることを特徴とする医用画像撮影装置。
【請求項１３】
画像データと関連情報を含む医用画像ファイルの関連情報からスキャンプロトコル関連情報を抽出する医用画像ファイル解析手段と、前記画像データの画像を撮影したスキャンプロトコルである原スキャンプロトコルを前記スキャンプロトコル関連情報に基づいて生成する原スキャンプロトコル生成手段と、前記原スキャンプロトコルを自己に適用可能なスキャンプロトコルに変換するスキャンプロトコル変換手段とを具備したことを特徴とする医用画像撮影装置。
【請求項１４】
請求項１３に記載の医用画像撮影装置において、前記医用画像ファイル解析手段は、一連のスライス位置(x,y,x,t)で連続的に撮影した複数の画像にかかる複数の医用画像ファイルの関連情報から一連のスライス位置(x,y,x,t)で連続的に撮影するための情報を抽出し、前記原スキャンプロトコル生成手段は、前記情報を前記スキャンプロトコルに加えることを特徴とする医用画像撮影装置。
【請求項１５】
請求項１１から請求項１４のいずれかに記載の医用画像撮影装置において、前記医用画像ファイルがＤＩＣＯＭ画像ファイルであることを特徴とする医用画像撮影装置。
【請求項１６】
請求項１１から請求項１５のいずれかに記載の医用画像撮影装置が、Ｘ線ＣＴ装置またはＭＲＩ装置であることを特徴とする医用画像撮影装置。
【発明の詳細な説明】
【技術分野】
【０００１】
本発明は、スキャンプロトコル（scan protocol）作成方法、スキャンプロトコル作成装置および医用画像撮影装置に関し、さらに詳しくは、スキャンプロトコルを自動的に作成することが出来るスキャンプロトコル作成方法、スキャンプロトコル作成装置および医用画像撮影装置に関する。
【背景技術】
【０００２】
Ｘ線ＣＴ（Computer Tomography）装置やＭＲＩ（Magnetic Resonance Imaging）装置の如き医用画像撮影装置では、画像を撮影するために、スキャンプロトコルを設定する必要がある（例えば、特許文献１参照。）。
一方、ＤＩＣＯＭ（Digital Imaging and COmmunication in Medicine）画像ファイルに含まれる関連情報を解析して患者名などの情報を抽出し、表示・印刷するプログラムが市販されている（例えば、非特許文献１参照。）。
【０００３】
【特許文献１】特開２００１−１７００３７号公報
【非特許文献１】ＤＩＣＯＭデータ表示ツール、メディカルテクニカ有限会社、インターネット＜ＵＲＬ：http://33yatsuka.gooside.com/dicom＞
【発明の開示】
【発明が解決しようとする課題】
【０００４】
従来の医用画像撮影装置では、自己が過去に使用したスキャンプロトコルを記憶しておき、それを利用することが出来た。
しかし、記憶できる数が限られていること、自己が過去に使用していないスキャンプロトコルは記憶していないことから、スキャンプロトコルを操作者が一から設定しなければならない場合も多くある問題点があった。
そこで、本発明の目的は、スキャンプロトコルを自動的に作成することが出来るスキャンプロトコル作成方法、スキャンプロトコル作成装置および医用画像撮影装置を提供することにある。
【課題を解決するための手段】
【０００５】
第１の観点では、本発明は、画像データと関連情報を含む医用画像ファイルの関連情報からスキャンプロトコル関連情報を抽出し、前記スキャンプロトコル関連情報を基に対象医用画像撮影装置に適用可能なスキャンプロトコルを作成することを特徴とするスキャンプロトコル作成方法を提供する。
上記第１の観点によるスキャンプロトコル作成方法では、医用画像ファイルの関連情報（一般にヘッダーと呼ばれる部分に記述されている）から回転速度，スライス厚などのスキャンプロトコル関連情報を抽出する。ただし、この抽出したスキャンプロトコル関連情報は、画像を撮影した医用画像撮影装置にかかるスキャンプロトコルの関連情報であり、直接的には対象医用画像撮影装置に適用できない場合が多い。そこで、抽出したスキャンプロトコル関連情報を基に、対象医用画像撮影装置に適用可能なスキャンプロトコルを作成する。これにより、対象医用画像撮影装置で医用画像を撮影するためのスキャンプロトコルを自動的に作成することが出来る。すなわち、対象医用画像撮影装置に記憶していないスキャンプロトコルでも、医用画像ファイルがあれば、操作者が一からスキャンプロトコルを設定しなくても済み、省力化できる（操作者が手を加えるにしても、部分的で済む）。また、設定時間を短縮でき、設定ミスもなくなる。
【０００６】
第２の観点では、本発明は、上記構成のスキャンプロトコル作成方法において、一連のスライス位置(x,y,z,t)で連続的に撮影した複数の画像にかかる複数の医用画像ファイルの関連情報から一連のスライス位置(x,y,z,t)で連続的に撮影するための情報を抽出し、前記情報を前記スキャンプロトコルに加えることを特徴とするスキャンプロトコル作成方法を提供する。
本発明において「スライス位置(x,y,z,t)」とは、撮影領域の中心点のｘ座標、ｙ座標、ｚ座標（体軸方向の座標）および撮影時刻ｔを意味する。
また、「一連のスライス位置(x,y,z,t)で連続的に撮影」とは、スライス面（例えばｘｙ面）に直交する方向に連続する一連の座標（例えばｚ１，ｚ２，ｚ３，…）で撮影することや、連続する一連の時刻（例えばｔ１，ｔ２，ｔ３，…）に同一スライス面で撮影することの両方を含む。
上記第２の観点によるスキャンプロトコル作成方法では、空間的または時間的に連続する一連のスライス位置で連続的に撮影するためのスキャンプロトコルが得られる。
【０００７】
第３の観点では、本発明は、画像データと関連情報を含む医用画像ファイルの関連情報からスキャンプロトコル関連情報を抽出し、前記画像データの画像を撮影したスキャンプロトコルである原スキャンプロトコルを前記スキャンプロトコル関連情報に基づいて生成し、前記原スキャンプロトコルを対象医用画像撮影装置に適用可能なスキャンプロトコルに変換することを特徴とするスキャンプロトコル作成方法を提供する。
上記第３の観点によるスキャンプロトコル作成方法では、医用画像ファイルの関連情報からスキャンシーケンス名，スライス厚などのスキャンプロトコル関連情報を抽出する。そして、この抽出したスキャンプロトコル関連情報に基づいて、画像を撮影した医用画像撮影装置にかかる原スキャンプロトコルを生成する。この原スキャンプロトコルは、そのままでは対象医用画像撮影装置に適用できない場合が多い。そこで、原スキャンプロトコルを対象医用画像撮影装置に適用可能なスキャンプロトコルに変換する。これにより、対象医用画像撮影装置で医用画像を撮影するためのスキャンプロトコルを自動的に作成することが出来る。すなわち、対象医用画像撮影装置に記憶していないスキャンプロトコルでも、医用画像ファイルがあれば、操作者が一からスキャンプロトコルを設定しなくても済み、省力化できる（操作者が手を加えるにしても部分的で済む）。また、設定時間を短縮でき、設定ミスもなくなる。
【０００８】
第４の観点では、本発明は、上記構成のスキャンプロトコル作成方法において、一連のスライス位置(x,y,z,t)で連続的に撮影した複数の画像にかかる複数の医用画像ファイルの関連情報から一連のスライス位置(x,y,z,t)で連続的に撮影するための情報を抽出し、前記情報を前記スキャンプロトコルに加えることを特徴とするスキャンプロトコル作成方法を提供する。
上記第４の観点によるスキャンプロトコル作成方法では、空間的または時間的に連続する一連のスライス位置で連続的に撮影するためのスキャンプロトコルが得られる。
【０００９】
第５の観点では、本発明は、上記構成のスキャンプロトコル作成方法において、前記医用画像ファイルがＤＩＣＯＭ画像ファイルであることを特徴とするスキャンプロトコル作成方法を提供する。
上記第５の観点によるスキャンプロトコル作成方法では、広く普及しているＤＩＣＯＭ画像ファイルがあれば、操作者が一からスキャンプロトコルを設定しなくても済み、省力化できる（操作者が手を加えるにしても部分的で済む）。
【００１０】
第６の観点では、本発明は、画像データと関連情報を含む医用画像ファイルの関連情報からスキャンプロトコル関連情報を抽出する医用画像ファイル解析手段と、前記スキャンプロトコル関連情報を基にして対象医用画像撮影装置に適用可能なスキャンプロトコルを作成するスキャンプロトコル作成手段とを具備したことを特徴とするスキャンプロトコル作成装置を提供する。
上記第６の観点によるスキャンプロトコル作成装置では、前記第１の観点によるスキャンプロトコル作成方法を好適に実施できる。
【００１１】
第７の観点では、本発明は、上記構成のスキャンプロトコル作成装置において、前記医用画像ファイル解析手段は、一連のスライス位置(x,y,z,t)で連続的に撮影した複数の画像にかかる複数の医用画像ファイルの関連情報から一連のスライス位置(x,y,z,t)で連続的に撮影するための情報を抽出し、前記スキャンプロトコル作成手段は、前記情報を前記スキャンプロトコルに加えることを特徴とするスキャンプロトコル作成装置を提供する。
上記第７の観点によるスキャンプロトコル作成装置では、前記第２の観点によるスキャンプロトコル作成方法を好適に実施できる。
【００１２】
第８の観点では、本発明は、画像データと関連情報を含む医用画像ファイルの関連情報からスキャンプロトコル関連情報を抽出する医用画像ファイル解析手段と、前記画像データの画像を撮影したスキャンプロトコルである原スキャンプロトコルを前記スキャンプロトコル関連情報に基づいて生成する原スキャンプロトコル生成手段と、前記原スキャンプロトコルを対象医用画像撮影装置に適用可能なスキャンプロトコルに変換するスキャンプロトコル変換手段とを具備したことを特徴とするスキャンプロトコル作成装置を提供する。
上記第８の観点によるスキャンプロトコル作成装置では、前記第３の観点によるスキャンプロトコル作成方法を好適に実施できる。
【００１３】
第９の観点では、本発明は、上記構成のスキャンプロトコル作成装置において、前記医用画像ファイル解析手段は、一連のスライス位置(x,y,z,t)で連続的に撮影した複数の画像にかかる複数の医用画像ファイルの関連情報から一連のスライス位置(x,y,z,t)で連続的に撮影するための情報を抽出し、前記原スキャンプロトコル生成手段は、前記情報を前記スキャンプロトコルに加えることを特徴とするスキャンプロトコル作成装置を提供する。
上記第９の観点によるスキャンプロトコル作成装置では、前記第４の観点によるスキャンプロトコル作成方法を好適に実施できる。
【００１４】
第１０の観点では、本発明は、上記構成のスキャンプロトコル作成装置において、前記医用画像ファイルがＤＩＣＯＭ画像ファイルであることを特徴とするスキャンプロトコル作成装置を提供する。
上記第１０の観点によるスキャンプロトコル作成装置では、前記第５の観点によるスキャンプロトコル作成方法を好適に実施できる。
【００１５】
第１１の観点では、本発明は、画像データと関連情報を含む医用画像ファイルの関連情報からスキャンプロトコル関連情報を抽出する医用画像ファイル解析手段と、前記スキャンプロトコル関連情報を基にして自己に適用可能なスキャンプロトコルを作成するスキャンプロトコル作成手段とを具備したことを特徴とする医用画像撮影装置を提供する。
上記第１１の観点による医用画像撮影装置では、前記第１の観点によるスキャンプロトコル作成方法を好適に実施できる。
【００１６】
第１２の観点では、本発明は、上記構成の医用画像撮影装置において、前記医用画像ファイル解析手段は、一連のスライス位置(x,y,z,t)で連続的に撮影した複数の画像にかかる複数の医用画像ファイルの関連情報から一連のスライス位置(x,y,z,t)で連続的に撮影するための情報を抽出し、前記スキャンプロトコル作成手段は、前記情報を前記スキャンプロトコルに加えることを特徴とする医用画像撮影装置を提供する。
上記第１２の観点による医用画像撮影装置では、前記第２の観点によるスキャンプロトコル作成方法を好適に実施できる。
【００１７】
第１３の観点では、本発明は、画像データと関連情報を含む医用画像ファイルの関連情報からスキャンプロトコル関連情報を抽出する医用画像ファイル解析手段と、前記画像データの画像を撮影したスキャンプロトコルである原スキャンプロトコルを前記スキャンプロトコル関連情報に基づいて生成する原スキャンプロトコル生成手段と、前記原スキャンプロトコルを自己に適用可能なスキャンプロトコルに変換するスキャンプロトコル変換手段とを具備したことを特徴とする医用画像撮影装置を提供する。
上記第１３の観点による医用画像撮影装置では、前記第３の観点によるスキャンプロトコル作成方法を好適に実施できる。
【００１８】
第１４の観点では、本発明は、上記構成の医用画像撮影装置において、前記医用画像ファイル解析手段は、一連のスライス位置(x,y,z,t)で連続的に撮影した複数の画像にかかる複数の医用画像ファイルの関連情報から一連のスライス位置(x,y,z,t)で連続的に撮影するための情報を抽出し、前記原スキャンプロトコル生成手段は、前記情報を前記スキャンプロトコルに加えることを特徴とする医用画像撮影装置を提供する。
上記第１４の観点による医用画像撮影装置では、前記第４の観点によるスキャンプロトコル作成方法を好適に実施できる。
【００１９】
第１５の観点では、本発明は、上記構成の医用画像撮影装置において、前記医用画像ファイルがＤＩＣＯＭ画像ファイルであることを特徴とする医用画像撮影装置を提供する。
上記第１５の観点による医用画像撮影装置では、前記第５の観点によるスキャンプロトコル作成方法を好適に実施できる。
【００２０】
第１６の観点では、本発明は、上記構成の医用画像撮影装置が、Ｘ線ＣＴ装置またはＭＲＩ装置であることを特徴とする医用画像撮影装置を提供する。
上記第１６の観点による医用画像撮影装置では、Ｘ線ＣＴ装置またはＭＲＩ装置において、前記第１〜第５の観点によるスキャンプロトコル作成方法を好適に実施できる。
【発明の効果】
【００２１】
本発明のスキャンプロトコル作成方法、スキャンプロトコル作成装置および医用画像撮影装置によれば、所望の医用画像撮影装置に適用可能なスキャンプロトコルを自動的に作成することが出来る。また、設定時間を短縮でき、設定ミスもなくなる。
【発明を実施するための最良の形態】
【００２２】
以下、図に示す実施の形態により本発明をさらに詳細に説明する。なお、これにより本発明が限定されるものではない。
【実施例１】
【００２３】
図１は、実施例１に係る医用画像撮影装置１００の構成説明図である。
この医用画像撮影装置１００は、撮像装置１と、スキャンプロトコル作成装置２とを具備している。
撮像装置１とスキャンプロトコル作成装置２とは別体でもよいし、撮像装置１にスキャンプロトコル作成装置２を内蔵してもよい。
【００２４】
撮像装置１は、スキャンプロトコルに基づいて被検体Ｋを撮影するＸ線ＣＴ装置やＭＲＩ装置である。撮像装置１は、医用画像ファイルＦをスキャンプロトコル作成装置２へ出力でき、スキャンプロトコル作成装置２からスキャンプロトコルを入力できる。
医用画像ファイルＦは、記録媒体Ｍから読み出したものでもよいし、ネットワークＬからダウンロードしたものでもよい。また、撮像装置１自身が作成したものでもよい。
【００２５】
スキャンプロトコル作成装置２は、医用画像ファイル入力部２ａと、医用画像ファイル解析部２ｂと、原スキャンプロトコル生成部２ｃと、スキャンプロトコル変換部２ｄと、スキャンプロトコル出力部２ｅとを具備している。
スキャンプロトコル変換部２ｄは、ある機種のスキャンプロトコルを別の機種のスキャンプロトコルに変換するための対応表Ｔを保持している。
【００２６】
図２は、スキャンプロトコル作成装置２によるスキャンプロトコル作成処理を示すフロー図である。
ステップＳ１では、医用画像ファイル入力部２ａは、撮像装置１から医用画像ファイルＦを入力する。
【００２７】
図３に、医用画像ファイルＦの一例としてＤＩＣＯＭ画像ファイルｆを例示する。
このＤＩＣＯＭ画像ファイルｆは、１枚のスカウト画像を含むシリーズ＃１のデータと、一連のスライス位置(x,y,z,t)で連続的に撮影した複数枚のアキシャル画像を含むシリーズ＃２のデータと、シリーズ＃２とは別の一連のスライス位置(x,y,z,t)で連続的に撮影した複数枚のアキシャル画像を含むシリーズ＃３のデータとからなっている。各画像には、対応する関連情報が付属している。
【００２８】
図２に戻り、ステップＳ２では、医用画像ファイル解析部２ｂは、医用画像ファイルＦに複数の画像が含まれているかチェックし、複数の画像が含まれているならステップＳ３へ進み、１枚の画像だけが含まれているならステップＳ７へ進む。
例えば図３のＤＩＣＯＭ画像ファイルｆなら、ステップＳ３へ進む。
【００２９】
ステップＳ３では、医用画像ファイル解析部２ｂは、医用画像ファイルＦに含まれている複数の画像を表示し、一連のスライス位置(x,y,z,t)で連続的に撮影した画像群のうちの１群または１枚の画像を操作者に選択させる。
ステップＳ４では、一連のスライス位置(x,y,z,t)で連続的に撮影した画像群のうちの１群が選択されたらステップＳ５へ進み、１枚の画像が選択されたらステップＳ７へ進む。
例えば図３のＤＩＣＯＭ画像ファイルｆなら、シリーズ＃２の画像群またはシリーズ＃３の画像群が選択されたらステップＳ５へ進み、いずれか１枚の画像だけが選択されたらステップＳ７へ進む。
【００３０】
ステップＳ５では、医用画像ファイル解析部２ｂは、各画像の各関連情報からスキャンプロトコル関連情報を抽出する。例えば、被検体の姿勢，基準点，特記事項，モダリティ，モダリティの機種，モダリティがＸ線ＣＴ装置なら回転速度，スライス位置，スライス厚，ＳＦＯＶ，ｋＶ，ｍＡ，アルゴリズム，ＤＦＯＶ，オフセンターなどを抽出する。また、各スキャンプロトコル関連情報のスライス位置(x,y,z,t)を基に、空間的に連続的に撮影するための一連のスライス座標（あるいは開始座標，終了座標，スライス間隔）や時間的に連続的に撮影するための一連の撮影予定時刻（あるいは開始時刻，終了時刻，撮影時間間隔）などを抽出する。
【００３１】
ステップＳ６では、原スキャンプロトコル生成部２ｃは、各スキャンプロトコル関連情報を基にして、一連のスライス位置(x,y,z,t)で連続的に撮影する原スキャンプロトコルを生成する。例えば、医用画像ファイルがＸ線ＣＴ装置の一機種で作成されたものなら、そのＸ線ＣＴ装置の一機種により一連のスライス位置(x,y,z,t)で連続的に撮影した時に用いた原スキャンプロトコルを再現する。
そして、ステップＳ９へ進む。
【００３２】
ステップＳ７では、医用画像ファイル解析部２ｂは、１枚の画像の関連情報からスキャンプロトコル関連情報を抽出する。
ステップＳ８では、原スキャンプロトコル生成部２ｃは、スキャンプロトコル関連情報を基にして、原スキャンプロトコルを生成する。
そして、ステップＳ９へ進む。
【００３３】
ステップＳ９では、スキャンプロトコル変換部２ｄは、対応表Ｔを利用して、原スキャンプロトコルを撮像装置１で実行しうるスキャンプロトコルに変換する。
ステップＳ１０では、スキャンプロトコル出力部２ｅは、スキャンプロトコルを撮像装置１へ出入力する。
【００３４】
実施例１の医用画像撮影装置１００またはスキャンプロトコル作成装置２によれば、医用画像ファイルを基にして、撮像装置１で実行可能なスキャンプロトコルを作成することが出来る。すなわち、対応表Ｔを備えることにより、次のことが可能になる。
（機種変換）例えばシングルデテクタのＸ線ＣＴ装置で作成した医用画像ファイルからマルチデテクタのＸ線ＣＴ装置で実行可能なスキャンプロトコルを作成できる。
（新旧変換）旧機種で作成した医用画像ファイルから新機種で実行可能なスキャンプロトコルを作成できる。逆に、新機種で作成した医用画像ファイルから旧機種で実行可能なスキャンプロトコルを作成できる。
（モダリティ変換）例えばＸ線ＣＴ装置で作成した医用画像ファイルからＭＲＩ装置で実行可能なスキャンプロトコルを作成できる。
（ベンダー変換）例えばＨ社のＸ線ＣＴ装置で作成した医用画像ファイルからＧ社のＸ線ＣＴ装置で実行可能なスキャンプロトコルを作成できる。
【００３５】
なお、本発明は、例えばＣＲ（Computed-Radiography）画像ファイルのようなＤＩＣＯＭ画像ファイル以外の医用画像ファイルに対しても適用できる。
【産業上の利用可能性】
【００３６】
本発明は、医用画像撮影装置に利用できる。
【図面の簡単な説明】
【００３７】
【図１】実施例１に係る医用画像撮影装置を示す構成説明図である。
【図２】実施例１に係る医用画像撮影装置によるスキャンプロトコル作成処理を示すフロー図である。
【図３】医用画像ファイルの一例を示す概念図である。
【符号の説明】
【００３８】
１                  撮像装置
２                  スキャンプロトコル作成装置
２ｂ                医用画像ファイル解析部
２ｃ                原スキャンプロトコル生成部
２ｄ                スキャンプロトコル変換部
１００              医用画像撮影装置
【図１】
2005137730.tif 000003
【図２】
2005137730.tif 000004
【図３】
2005137730.tif 000005